(57)【要約】      （修正有）【課題】より簡単に箸置きを作製することができる箸袋を提供する。【解決手段】箸袋１は、一方向に伸長した袋状体１０を備え、袋状体の一方の端部側１０ａに、箸を出し入れするための開口部が形成され、他方の端部側１０ｂを分割するためのミシン目１２が設けられている。端部１４と、ミシン目１２との距離は、４ｃｍ以上６ｃｍ以下である。また袋状体には、伸長方向に沿って、両側の外縁部に二本の折り込み線又は折り込み部が設けられ、外縁との距離Ｌ４、Ｌ５は、４ｍｍ以上１０ｍｍ以下である。【選択図】図４
0003199065.tif 000002
【実用新案登録請求の範囲】
【請求項１】
一方向に伸長した袋状体を備えた箸袋であって、
この袋状体は、一方の端部側に箸を出し入れする開口部を有し、伸長方向における一方の端部側と他方の端部側とを分割するためのミシン目又は切込みが設けられており、
前記袋状体における前記開口部と反対側の端部と、前記ミシン目又は前記切込みとの距離は、４ｃｍ以上６ｃｍ以下であることを特徴とする箸袋。
【請求項２】
前記袋状体は、伸長方向に沿って、二本の折り込み線が間隔を空けて設けられていることを特徴とする請求項１記載の箸袋。
【請求項３】
前記折り込み線と、前記袋状体における伸長方向に沿った外縁との距離は、４ｍｍ以上１０ｍｍ以下であることを特徴とする請求項１又は請求項２に記載の箸袋。
【請求項４】
前記袋状体は、伸長方向に沿って、両側の外縁部を折り込んだ折り込み部を有することを特徴とする請求項１記載の箸袋。
【請求項５】
前記折り込み部の折り込み幅は、４ｍｍ以上１０ｍｍ以下であることを特徴とする請求項４に記載の箸袋。
【考案の詳細な説明】
【技術分野】
【０００１】
本考案は、割箸などを収納する箸袋に関する。
【背景技術】
【０００２】
割箸等の箸類は、例えば、飲食店で提供されたり、弁当と共に提供されており、通常、箸袋に収納されている。箸類を使用する時は、箸袋から取り出して使用するが、箸袋を折り曲げたりして、箸置きとして使用することもある。しかしながら、一般的な箸袋は、長さが長いので、箸置きにするには、何度も折り曲げたりしなければならなかった。そこで、より簡単に箸置きを作製することができる箸袋の開発が望まれていた。
【先行技術文献】
【特許文献】
【０００３】
【特許文献１】特開２００１−１９０７２号公報
【考案の概要】
【考案が解決しようとする課題】
【０００４】
本考案は、このような問題に基づきなされたものであり、より簡単に箸置きを作製することができる箸袋を提供することを目的とする。
【０００５】
なお、特許文献１には、箸置きになる箸袋が記載されている。しかしながら、本願発明とは具体的な構成が異なっている。
【課題を解決するための手段】
【０００６】
本考案の箸袋は、一方向に伸長した袋状体を備えたものであって、この袋状体は、一方の端部側に箸を出し入れする開口部を有し、伸長方向における一方の端部側と他方の端部側とを分割するためのミシン目又は切込みが設けられており、袋状体における開口部と反対側の端部と、ミシン目又は切込みとの距離を、４ｃｍ以上６ｃｍ以下としたものである。
【考案の効果】
【０００７】
本考案によれば、袋状体の伸長方向における一方の端部側と他方の端部側とを分割するためのミシン目又は切込みを設けるようにしたので、袋状体を簡単に切り離することができる。また、袋状体における開口部と反対側の端部と、ミシン目又は切込みとの距離を、４ｃｍ以上６ｃｍ以下とするようにしたので、切り離した部分を、簡単に折ることにより、容易に適度な大きさの箸置きを作製することができる。
【０００８】
また、伸長方向に沿って、二本の折り込み線を間隔を空けて設けるようにすれば、折り込み線に沿って折ることにより、より簡単に箸置きを作製することができる。
【０００９】
更に、折り込み線と、袋状体における伸長方向に沿った外縁との距離を、４ｍｍ以上１０ｍｍ以下とするようにすれば、適度な高さの箸置きを作製することができる。
【００１０】
更にまた、袋状体を、伸長方向に沿って、両側の外縁部を折り込んだ折り込み部を設けるようにすれば、箸を取りやすくすることができると共に、美観を引き起こすこともできる。
【００１１】
加えて、折り込み部の折り込み幅を、４ｍｍ以上１０ｍｍ以下とするようにすれば、適度な高さの箸置きを作製することができる。
【図面の簡単な説明】
【００１２】
【図１】本考案の一実施の形態に係る箸袋に箸を入れた状態を表す図である。
【図２】図１に示した箸袋を表す他の図である。
【図３】図１に示した箸袋の一部を切り離して折り曲げた状態を表す図である。
【図４】本考案の箸袋に箸を入れた状態の変形例を表す図である。
【考案を実施するための形態】
【００１３】
以下、本考案の実施の形態について、図面を参照して詳細に説明する。
【００１４】
図１は、本考案の一実施の形態に箸袋１に箸２を入れた状態を表す図であり、図２は、箸袋１を説明するための図である。箸袋１は、例えば、長さの異なるシート状の紙などを貼り合わせて一方向に伸長した袋状体１０としたものを備えている。この袋状体１０には、一方の端部側１０ａに、箸２を出し入れする開口部１１が形成されている。また、この袋状体１０は、一方の端部側１０ａと、他方の端部側１０ｂとを分割するためのミシン目１２が設けられている。これにより、切り取り部１３ａ（端部側１０ａを含む部分）と、切り取り部１３ｂ（端部側１０ｂを含む部分）とに、切り離すことができるようになっている。開口部１１と反対側の端部１４と、ミシン目１２との距離Ｌ１は、４ｃｍ以上６ｃｍ以下とすることが好ましい。切り取り部１３ｂを簡単に折ることにより、容易に適度な大きさの箸置きを作製することができるからである。なお、ミシン目１２に代えて切込みを設けるようにしてもよい。
【００１５】
袋状体１０には、伸長方向に沿って、二本の折り込み線１５ａ，１５ｂが間隔を空けて設けられていることが好ましい。折り込み線に沿って折ることにより、図３に示したように、より簡単に箸置き２０を作製することができるからである。
折り込み線１５ａ，１５ｂと、袋状体１０における伸長方向に沿った外縁１６ａ，１６ｂとの距離Ｌ２，Ｌ３は、４ｍｍ以上１０ｍｍ以下とすることが好ましい。適度な高さの箸置き２０を作製することができるからである。
【００１６】
この箸袋１０は、例えば、次のようにして用いることができる。まず、ミシン目１２に沿って切り取り部１３ｂを切り離す。続いて、切り取り部１３ｂを折り込み線１５ａ，１５ｂに沿って折り込む。これによって、箸置き２０が形成される。
【００１７】
このように本実施の形態によれば、伸長方向における一方の端部側１０ａと他方の端部側１０ｂとを分割するためのミシン目１２又は切込みを設けるようにしたので、袋状体１０を簡単に切り離することができる。また、袋状体１０における開口部１１と反対側の端部１４と、ミシン目１２又は切込みとの距離Ｌ１を、４ｃｍ以上６ｃｍ以下とするようにしたので、切り離した切り取り部１３ｂを、簡単に折ることにより、容易に適度な大きさの箸置きを作製することができる。
【００１８】
また、伸長方向に沿って、二本の折り込み線１５ａ，１５ｂを間隔を空けて設けるようにすれば、折り込み線１５ａ，１５ｂに沿って折ることにより、より簡単に箸置き２０を作製することができる。
【００１９】
更に、折り込み線１５ａ，１５ｂと、袋状体１０における伸長方向に沿った外縁１６ａ，１６ｂとの距離Ｌ２，Ｌ３を、４ｍｍ以上１０ｍｍ以下とするようにすれば、適度な高さの箸置き２０を作製することができる。
【００２０】
図４は、本考案の変形例を表す図である。図１から図３では、ミシン目１２に沿って切り取り部１３ｂを切り離したのち、切り取り部１３ｂを折り込み線１５ａ，１５ｂに沿って折り込むことによって箸置き２０を作成する場合について説明したが、切り取り部１３ｂを切り離す前の状態において、袋状体１０を、伸長方向に沿って、両側の外縁部１６ｃ，１６ｄを折り込んだ折り込み部１６ｅ，１６ｆを設けるようにしてもよい。箸を取りやすくすることができると共に、美観を引き起こすこともできる。
【００２１】
また、折り込み部の折り込み幅Ｌ４，Ｌ５を、４ｍｍ以上１０ｍｍ以下とすることが好ましい。適度な高さを有すると共に、シン目１２に沿って切り取り部１３ｂを切り離して作成した箸置きについても、適度な高さを有するからである。
【００２２】
以上、実施の形態を挙げて本考案を説明したが、本考案は上記各実施の形態に限定されるものではなく、種々変形可能である。例えば、上記実施の形態では、長さの異なるシート状の紙などを貼り合わせて一方向に伸長した袋状体１０について説明したが、張り合わせずに、縁を折り曲げることにより袋状体としたものであってもよい。また、各構成要素について具体的に説明したが、全ての構成要素を備えていなくてもよく、また、他の構成要素を備えていてもよい。
【符号の説明】
【００２３】
１…箸袋、２…箸、１０…袋状体、１０ａ…端部側、１０ｂ…端部側、１１…開口部、１２…ミシン目、１３ａ…切り取り部、１３ｂ…切り取り部、１４…端部、１５ａ…折り込み線、１５ｂ…折り込み線、１６ａ…外縁、１６ｂ…外縁、１６ｃ…外縁部、１６ｄ…外縁部、１６ｅ…折り込み部、１６ｆ…折り込み部、２０…箸置き
【図１】
0003199065.tif 000003
【図２】
0003199065.tif 000004
【図３】
0003199065.tif 000005
【図４】
0003199065.tif 000006